(57)【要約】【課題】肩カバーを簡単に取り外すことができるため、ノズルの取り外し作業が容易となり、コストも抑制することができるエアゾール容器用肩カバーを提案する。【解決手段】本発明におけるエアゾール容器用肩カバー１は、マウンティングカップ２ｂに設けた凹部２ｈに係合する凸部１５ｂを有しマウンティングカップ２ｂに直接取り付けられる固定盤１０と、押圧力を付与することによってノズル３０を押し下げる操作部２３を有するとともに固定盤１０に設けた係合孔１８に着脱自在に係止される爪部Ｔを有するカバー部材２０とからなり、爪部Ｔは、カバー部材２０の側壁２５を切り欠く一対の縦スリット２６によって形成される弾性片２７と、弾性片２７の先端外壁面に設けられる突起２８とで構成されることを特徴とする。【選択図】図１
2015085981.tif 000002
【特許請求の範囲】
【請求項１】
エアゾール容器のステムに取り付けられるノズルを覆って該容器のマウンティングカップに装着されるエアゾール容器用肩カバーであって、
前記肩カバーは、前記マウンティングカップに設けた凹部に係合する凸部を有し該マウンティングカップに直接取り付けられる固定盤と、押圧力を付与することによって前記ノズルを押し下げる操作部を有するとともに該固定盤に設けた係合孔に着脱自在に係止される爪部を有するカバー部材とからなり、
前記爪部は、前記カバー部材の側壁を切り欠く一対の縦スリットによって形成される弾性片と、該弾性片の先端外壁面に設けられる突起とで構成されるエアゾール容器用肩カバー。
【請求項２】
前記爪部を、前記エアゾール容器の中心軸線を挟む対向配置で一対設けた請求項１に記載のエアゾール容器用肩カバー。
【請求項３】
前記カバー部材の側壁下端に、径方向外側へ向けて延在するフランジを設け、前記固定盤に、該フランジの下面に当接する段部を設けた請求項１又は２に記載のエアゾール容器用肩カバー。
【発明の詳細な説明】
【技術分野】
【０００１】
本発明は、エアゾール容器のステムに取り付けられるノズルを覆って該容器のマウンティングカップに装着されるエアゾール容器用肩カバーに関する。
【背景技術】
【０００２】
従来、内容物とともに加圧ガスを収容しておき、ステムを押し下げることで内容物を吐出させるようにしたエアゾール容器としては、１つの容器内に一の内容物を収容するとともに１本のステムを有するシングルタイプの容器や、シングルタイプの容器を左右に並べて１組とした二連式タイプの容器（例えば特許文献１）の他、１つの容器内に２種類の内容物を別個に収容するとともに２本のステムを有する容器（例えば特許文献２）が知られていて、これらの容器のマウンティングカップには、例えばステムに装着されるノズルの脱落を防止することや容器の装飾効果を高めることを目的として、肩カバー（主筒部材やアクチュエータ本体と称することもある）を設けることが一般的である。
【先行技術文献】
【特許文献】
【０００３】
【特許文献１】特開２００５−４１５１０号公報
【特許文献２】特開２０１２−３０８８６号公報
【発明の概要】
【発明が解決しようとする課題】
【０００４】
ところで近年は、コストの削減が強く求められていて、このことはエアゾール容器の分野においても例外ではない。また、内容物の種類によってはノズルの内側に残ったものが固化して正常な吐出を妨げることがあるため、ノズルの洗浄は定期的に行うことが好ましく、そのために、肩カバーを取り外してノズルをステムから外しやすくすることで、ノズルの洗浄を効率よく行いたいとの要望もある。しかし、単に部品点数を最小化して肩カバーを直接マウンティングカップに取り付けるようにすると、通常の使用時にも簡単に外れてしまうため、使い勝手が大きく損なわれることになる。このため、使いやすさは良好のままでできるだけ安価にすることができる工夫が求められている。
【０００５】
本発明は、このような点を解決することを課題とするものであり、その目的は、肩カバーを簡単に取り外すことができるため、ノズルの取り外し作業が容易となり、また使いやすさは損なうことなくコストも抑制することができる、新たなエアゾール容器用肩カバーを提案するところにある。
【課題を解決するための手段】
【０００６】
本発明は、エアゾール容器のステムに取り付けられるノズルを覆って該容器のマウンティングカップに装着されるエアゾール容器用肩カバーであって、
前記肩カバーは、前記マウンティングカップに設けた凹部に係合する凸部を有し該マウンティングカップに直接取り付けられる固定盤と、押圧力を付与することによって前記ノズルを押し下げる操作部を有するとともに該固定盤に設けた係合孔に着脱自在に係止される爪部を有するカバー部材とからなり、
前記爪部は、前記カバー部材の側壁を切り欠く一対の縦スリットによって形成される弾性片と、該弾性片の先端外壁面に設けられる突起とで構成されるエアゾール容器用肩カバーである。
【０００７】
前記爪部を、前記エアゾール容器の中心軸線を挟む対向配置で一対設けることが好ましい。
【０００８】
前記カバー部材の側壁下端に、径方向外側へ向けて延在するフランジを設け、前記固定盤に、該フランジの下面に当接する段部を設けることが好ましい。
【発明の効果】
【０００９】
本発明の肩カバーは、マウンティングカップに直接取り付けられる固定盤と、ノズルを押し下げるための操作部を有するとともに固定盤に着脱自在に取り付けられるカバー部材とで構成することによって部品点数を減らしているので、コストを抑制することができる。また、カバー部材に、固定盤に設けた係合孔に係止される爪部を設け、爪部を、カバー部材の側壁を切り欠く一対の縦スリットによって形成される弾性片と、該弾性片の先端外壁面に設けられる突起とで構成した結果、弾性片を押圧すればカバー部材を固定盤から取り外すことができ、これによってノズルをむき出しにできるので、ステムから簡単に取り外すことができる。
【００１０】
爪部を、エアゾール容器の中心軸線を挟む対向配置で一対設ける場合は、これらの爪部を親指と他の指とで挟み込むように押圧することで、片手であってもカバー部材を取り外すことができる。
【００１１】
カバー部材の側壁下端に、径方向外側へ向けて延在するフランジを設け、固定盤に、フランジの下面に当接する段部を設ける場合は、固定盤に取り付けたカバー部材を安定して保持することができ、ぐらつき等を抑えることができる。
【図面の簡単な説明】
【００１２】
【図１】本発明に従うエアゾール容器用肩カバーの一実施形態をエアゾール容器に装着した状態で示す、（ａ）は平面図であり、（ｂ）は（ａ）のＡ−Ａに沿う断面図（エアゾール容器は側面図）である。
【図２】図１に示す実施形態の正面視での半断面図（エアゾール容器は正面図）である。
【図３】図１に示す実施形態の側面図である。
【図４】図１に示すノズルの組み立て前の状態を示す断面図である。
【発明を実施するための形態】
【００１３】
以下、図面を参照して、本発明をより具体的に説明する。なお、本明細書、特許請求の範囲、要約書、及び図面において、「正面側」とは、図１（ｂ）において、ノズルの吐出口が位置する側であり、「背面側」とは、その反対側である。また、「左側」、「右側」とは、正面側から背面側に向かって見る際の左右方向をいう。そして「上側」とは、図１（ｂ）において、エアゾール容器に対してノズルが位置する側であり、「下側」とは、その反対側である。
【００１４】
図１、図２において、符号１は、本発明に従うエアゾール容器用肩カバー（以下、単に「肩カバー」と称す場合もある）の一実施形態であり、符号２は、肩カバー１を装着するエアゾール容器（以下、単に「容器」と称す場合もある）である。肩カバー１は、固定盤１０及びカバー部材２０で構成されている。また符号３０は、ノズルである。
【００１５】
エアゾール容器２は、例えば金属製や合成樹脂製となる有底筒状の容器本体２ａに、金属製となるマウンティングカップ２ｂの外縁を巻き締め等によって固着したものであり、内側には２種類の内容物が別個に収容されている。また容器２は、それぞれの内容物の収容空間につながる総計２本のステム２ｃを有している。
【００１６】
マウンティングカップ２ｂの中央部には、その上面からステム２ｃを突出させるとともに平面視にてトラック状になる上段突起部２ｄと、上段突起部２ｄの長辺と略同一長さの直径を有し（図２参照）、上段突起部２ｄに連結する中段突起部２ｅと、中段突起部２ｅよりも大径であって中段突起部２ｅに連結する下段突起部２ｆとが設けられている。また、中段突起部２ｅの根元には環状となる中段凹部２ｇが設けられ、下段突起部２ｆの根元には環状となる下段凹部２ｈが設けられている。なお、上段突起部２ｄの平面視での形状は、矩形状でも楕円状でもよい。
【００１７】
固定盤１０は、図１（ｂ）に示すように、中央部に２本のステム２ｃを露出させる開口１１を有する天壁１２を備えている。開口１１は、上段突起部２ｄに対応する形状をなし平面視でトラック状となっていて、天壁１２の内縁には、上段突起部２ｄを取り囲むように垂下される内側環状壁１３を備えている。また、内側環状壁１３の下端においてその正面側及び背面側には、薄肉舌片１３ａを設けている。薄肉舌片１３ａは、固定盤１０をマウンティングカップ２ｂに装着する前は、内側環状壁１３に沿って下向きに延在するものであるが、装着によって図１に示すように径方向外側に向かって折り曲げられるものである。この点については後述する。
【００１８】
天壁１２の外縁には、中段突起部２ｅを取り囲むように垂下される中間環状壁１４を設けている。中間環状壁１４は、図２に示すように容器２の右側及び左側において、内側環状壁１３に連続し且つ中段突起部２ｅに接するように形成されている。そして中間環状壁１４の下端には、下段突起部２ｆの上面に接するとともに径方向外側に向けて延在する上部フランジ１５が設けられていて、上部フランジ１５の下面には、下段突起部２ｆと全周に亘って接する内部環状壁１５ａを設けている。内部環状壁１５ａの内面には、図１（ｂ）に示すように、マウンティングカップ２ｂの下段凹部２ｈに係合する凸部１５ｂを間欠状に設けている。なお、凸部１５ｂを、内部環状壁１５ａの全周に亘って設けてもよい。また、上部フランジ１５の外縁には、下方に向けて延在する外側環状壁１６ａと、外側環状壁１６ａの下端から径方向外側に延在する下部フランジ１６ｂとからなる段部１６を設けていて、下部フランジ１６ｂの外縁には、マウンティングカップ２ｂの外縁に向けて垂下される環状の外壁１７を設けている。図２に示すように段部１６には、上部フランジ１５の一部、外側環状壁１６ａ、及び下部フランジ１６ｂの一部を切り欠く孔（係合孔）１８を設けている。なお係合孔１８は、固定盤１０の左側にも同様にして設けられている。
【００１９】
カバー部材２０は、ノズル３０の上方で水平方向に延在する頂壁２１を備えている。頂壁２１には、図１（ａ）、（ｂ）に示すように、その中央部から背面側に向かって頂壁２１の一部を取り除く切り欠き部２１ａを設けていて、切り欠き部２１ａの内縁には、下方に向けて延在する内側周壁２２を設けている。また、切り欠き部２１ａには、ノズル３０の押し下げに供する操作部２３を設けていて、操作部２３は薄肉のヒンジ２４を介して内側周壁２２の正面側に一体連結している。操作部２３の上面は下方に向けて湾曲していて、更に左右方向に向けて延在するリブ２３ａ（本実施形態では４つ）を備えている。
【００２０】
カバー部材２０の左側及び右側には、頂壁２１の外縁から下方に向けて延在する外側周壁（側壁）２５を設けている。一方、カバー部材２０の正面側には、図１（ｂ）に示すように、頂壁２１の正面側縁部に連結するとともに背面側から正面側に向けて傾く傾斜壁２５ａと、傾斜壁２５ａの下端から水平方向に延在して外側周壁２５につながる正面側水平壁２５ｂとを設け、また、カバー部材２０の背面側には、正面側水平壁２５ｂと略同じ高さで延在して外側周壁２５につながる背面側水平壁２５ｃを設けている。また、カバー部材２０の正面側には、ノズル３０を突出させる窓孔２５ｄを設けていて、外側周壁２５の下端には、径方向外側へ向けて延在するフランジ２５ｅを設けている。
【００２１】
そして、図３に示すように外側周壁２５の右側には、上下方向に外側周壁２５及びフランジ２５ｅを切り欠く縦スリット２６が間隔をあけて一対設けられていて、これにより縦スリット２６間に弾性片２７を形成している。また、弾性片２７の先端外壁面には、突起２８を設けていて、突起２８の下端外側には傾斜面２８ａを設けている。なお、弾性片２７、突起２８、及び傾斜面２８ａで構成される爪部Ｔは、外側周壁２５の左側にも同様に設けられていて、２つの爪部Ｔは、容器２の中心軸線Ｍを挟んで対向配置で設けられている。
【００２２】
また、図２に示すように内側周壁２２と外側周壁２５との間には、頂壁２１の下面より垂下され、固定盤１０の上部フランジ１５上面に当接する中間壁２９を設け、中間壁２９には、内側環状壁１３の上面に当接する補強リブ２９ａを設けている。
【００２３】
ノズル３０は、図４に示すように、薄肉状のヒンジ３１を介して下部部材３２と上部部材３３とを一体連結したものであり、ヒンジ３１に沿って折り曲げることで、図１（ｂ）、図２に示す形態をなすものである。
【００２４】
下部部材３２は、図４に示すように、板状となる基部３２ａの下面に、ステム２ｃの外径に対応する内径となる円筒部３２ｂを備えていて、円筒部３２ｂの内側には、貫通孔３２ｃを有する内部壁３２ｄを備えている。なお、円筒部３２ｂ、貫通孔３２ｃ、及び内部壁３２ｄからなる組みは、図２を参照して明らかなように、ステム２ｃに対応させて総計２組設けられている。基部３２ａの上面には環状部３２ｅが設けられていて、図１（ｂ）及び図２に示すように環状部３２ｅは、正面側から背面側に向かう距離よりも左右間の距離が長くなっている。また、図２に示すように環状部３２ｅの中央部には、間隔をあけて設けた一対の中間壁３２ｆを設けている。更に基部３２ａの上面正面側には、図４に示すように爪状の下部係合部３２ｇを設けている。
【００２５】
上部部材３３は、ヒンジ３１に沿って折り曲げることで、環状部３２ｅを内側に収めるとともにこれに覆い被さる箱状部３３ａを備えている。箱状部３３ａの中央部には、箱状部３３ａの内側を２つに区画する仕切壁３３ｂを設けている。また、箱状部３３ａの上面側（図１（ｂ）に示すように、ノズル３０を組み立てた際の上面側）には、側面視で半円状となる半円リブ３３ｃを設けていて（本実施形態では、左右方向に間隔をあけて総計２つ）、箱状部３３ａの正面側（ノズル３０を組み立てた際の正面側）には、その先端開口を内容物の外界への吐出口３３ｄとする筒状部３３ｅを設けている。本実施形態では仕切壁３３ｂを、箱状部３３ａと筒状部３３ｅとの境界よりも吐出口３３ｄ側へ延長している。更に、筒状部３３ｅの下側（ノズル３０を組み立てた際の下側）には、下部係合部３２ｇに対応する爪状となる上部係合部３３ｆを設けている。
【００２６】
そして、上述したようにヒンジ３１に沿って折り曲げることで、下部係合部３２ｇと上部係合部３３ｆとが係合して、２つ折り状態を維持することができる。また、環状部３２ｅと箱状部３３ａとが嵌め合わさることで、基部３２ａと箱状部３３ａとの内側には内部空間が形成される一方、仕切壁３３ｂは、対をなす中間壁３２ｆ間に挟まれて、この内部空間は、それぞれに貫通孔３２ｃがつながる２つの空間に区画される。更にこの２つの空間は、仕切壁３３ｂを越えた吐出口３３ｄ側の筒状部３３ｅの内側において合流している。すなわち、２つ折り状態となったノズル３０の内側には、下流側（ステム２ｃ側）では２つに分かれ、上流側（吐出口３３ｄ）では合流して１つになる通路Ｒが形成されている。
【００２７】
上記のように構成される各部材を容器に取り付けるにあたっては、まず固定盤１０をマウンティングカップ２ｂに装着する。前述のように薄肉舌片１３ａは、内側環状壁１３の正面側及び背面側に設けられるとともに、固定盤１０をマウンティングカップ２ｂに装着する前では、内側環状壁１３に沿って下向きに延在するものである。ここで、マウンティングカップ２ｂの上段突起部２ｄ、及びこれに嵌め合わさる固定盤１０の内側環状壁１３は、平面視にてトラック状となるものであるので、固定盤１０をマウンティングカップ２ｂの上方から近づけていくと、互いの向きが合っている時には、薄肉舌片１３ａの下端が中段突起部２ｅの上面に当接する高さまで固定盤１０が下がることになるが、互いの向きがずれている場合には、薄肉舌片１３ａの先端が上段突起部２ｄの上面に当接して所定の高さよりも高い所に位置することとなる。すなわち、固定盤１０の高さの違いで両者の向きが合っているか否かを判断することができるので、組み立て作業がより簡単になる。また、固定盤１０を回転すると、両者の向きが合ったところで固定盤１０が下方に移動するので、触覚をもって位置合わせの完了を知ることもできる。その後、固定盤１０を押し込めば、図１（ｂ）に示すように薄肉舌片１３ａは外側へ折れ曲がり、凸部１５ｂが下段凹部２ｈに係合する。
【００２８】
次いで、２つ折り状態に組み立てたノズル３０を上方から、円筒部３２ｂをステム２ｃに位置合わせしつつ挿入する。円筒部３２ｂの内部には内部壁３２ｄを設けているので、ステム２ｃを押し込まない程度に押圧することで、ステム２ｃの上端が内部壁３２ｄの下面に当接し、ノズル３０は所定の高さで装着される。
【００２９】
しかる後、カバー部材２０を上方から、ノズル３０の筒状部３３ｅを窓孔２５ｄより突出させつつ、爪部Ｔを係合孔１８に位置合わせした状態で押圧して、固定盤１０に装着する。ここで、爪部Ｔの突起２８には傾斜面２８ａを設けているので、カバー部材２０を固定盤１０に対して押し付けると、爪部Ｔは傾斜面２８ａに誘導されて径方向内側に撓むため、容易に取り付けることができる。また、装着完了後は、カバー部材２０のフランジ２５ｅを、固定盤１０の段部１６に当接させているので、カバー部材２０は固定盤１０に安定して保持される。
【００３０】
このようにして各部材を取り付けたエアゾール容器２から内容物を吐出させるには、操作部２３の上面に指を当てて下方に向けて押し込む。ここで、操作部２３の上面は下方に向けて湾曲しているので、良好な指当たりを呈することができる。また、リブ２３ａによって、押圧時の指のずれを抑制することができる。そして、操作部２３がヒンジ２４を起点として揺動することで、操作部２３の下面が半円リブ３３ｃに押し当たり、ノズル３０とともに２本のステム２ｃを押し下げる。これにより、容器２内の２種類の内容物はそれぞれのステム２ｃから同時に噴出され、ノズル３０の内側に形成される通路Ｒを通して吐出口３３ｄから吐出される。
【００３１】
また、カバー部材２０は、爪部Ｔを径方向内側に押圧することで係合孔１８との係合が解除され、固定盤１０から取り外すことができる。本実施形態では、２つの爪部Ｔを、容器２の中心軸線Ｍを挟む対向配置で設けているので、これらの爪部Ｔを親指と他の指とで挟み込むように押圧することで、片手であってもカバー部材２０を取り外すことができる。そして、むき出しになったノズル３０を上方に向けて引き上げれば、ステム２ｃから簡単に取り外すことができる。その後は、ノズル３０の下部部材３２及び上部部材３３を、相互に離反するように開くことでその内側が露出されるので、洗浄が行いやすくなる。
【００３２】
上述したところは本発明の一実施形態に過ぎず、種々の変更を加えることができる。例えば本実施形態では、マウンティングカップ２ｂの下段凹部２ｈに、固定盤１０の凸部１５ｂを係合するようにしたが、中段凹部２ｇに係合させてもよい。また、カバー部材２０には、一対の縦スリット２６の上端間に延在して外側周壁２５の肉厚を薄くする横溝を設けてもよく、これにより爪部Ｔを撓みやすくすることができる。また、２つの爪部Ｔのうち、一方の縦スリット２６を削除して撓み不能とし、他方の爪部Ｔだけを撓むようにしてカバー部材２０の着脱を行うようにすることもできる。そして、本実施形態の仕切壁３３ｂは、箱状部３３ａ内を２つに区画して筒状部３３ｅの根元を越えて延在しているが、内容物の種類によっては、更に吐出口３３ｄまで延在させて通路Ｒの全域を２つに分けても、また、仕切壁３３ｂを取り除いてノズル３０の内部全体を１つの通路にしてもよい。更に、本実施形態の肩カバー１は、２本のステムを有する容器に装着するように構成したが、シングルタイプの容器や二連式タイプの容器に採用することもできる。
【産業上の利用可能性】
【００３３】
本発明によれば、肩カバーを簡単に取り外すことができるため、ノズルの取り外し作業が容易となり、更に、使いやすさは損なうことなくコストも抑制することができる、新たなエアゾール容器用肩カバーを提供できる。
【符号の説明】
【００３４】
１  肩カバー
２  エアゾール容器（容器）
２ａ  容器本体
２ｂ  マウンティングカップ
２ｃ  ステム
２ｄ  上段突起部
２ｅ  中段突起部
２ｆ  下段突起部
２ｇ  中段凹部（凹部）
２ｈ  下段凹部（凹部）
１０  固定盤
１１  開口
１２  天壁
１３  内側環状壁
１３ａ  薄肉舌片
１４  中間環状壁
１５  上部フランジ
１５ａ  内部環状壁
１５ｂ  凸部
１６  段部
１６ａ  外側環状壁
１６ｂ  下部フランジ
１７  外壁
１８  係合孔
２０  カバー部材
２１  頂壁
２１ａ  切り欠き部
２２  内側周壁
２３  操作部
２３ａ  リブ
２４  ヒンジ
２５  外側周壁（側壁）
２５ａ  傾斜壁
２５ｂ  正面側水平壁
２５ｃ  背面側水平壁
２５ｄ  窓孔
２５ｅ  フランジ
２６  縦スリット
２７  弾性片
２８  突起
２８ａ  傾斜面
２９  中間壁
２９ａ  補強リブ
３０  ノズル
３１  ヒンジ
３２  下部部材
３２ａ  基部
３２ｂ  円筒部
３２ｃ  貫通孔
３２ｄ  内部壁
３２ｅ  環状部
３２ｆ  中間壁
３２ｇ  下部係合部
３３  上部部材
３３ａ  箱状部
３３ｂ  仕切壁
３３ｃ  半円リブ
３３ｄ  吐出口
３３ｅ  筒状部
３３ｆ  上部係合部
Ｍ  エアゾール容器の中心軸線
Ｔ  カバー部材の爪部
Ｒ  ノズルの通路
【図１】
2015085981.tif 000003
【図２】
2015085981.tif 000004
【図３】
2015085981.tif 000005
【図４】
2015085981.tif 000006